(57)【特許請求の範囲】
【請求項１】
蛇行させたトラックを有する記録可能な光ディスクに光ビームを照射する照射手段と、
前記光ディスクからの反射光を受光し電気信号として出力する受光手段と、
前記受光手段の出力信号から前記トラックの蛇行に対応するウォブル信号を再生するウォブル信号再生手段と、
を有する光ディスク装置であって、
前記ウォブル信号再生手段は、
前記光ビームが記録パワーの期間内であって、前記反射光が所定レベルに安定するピット形成後の期間内において前記反射光をサンプルホールドする第１サンプルホールド回路と、
前記第１サンプルホールド回路の出力を増幅する第１増幅器と、
前記光ビームが再生パワーの期間内において前記反射光をサンプルホールドする第２サンプルホールド回路と、
前記第２サンプルホールド回路の出力を増幅する第２増幅器と、
前記第１増幅器の出力と前記第２増幅器の出力レベルとの相違に基づき、前記第１増幅器の出力と前記第２増幅器の出力レベルが一致するように前記第１増幅器と前記第２増幅器それぞれの増幅率を調整する差動器と、
前記第１増幅器の出力及び前記第２増幅器の出力を加算する加算器と、
を有し、前記加算器の出力から前記ウォブル信号を再生することを特徴とする光ディスク装置。
【請求項２】
請求項１記載の装置において、
前記差動器は、
前記第１増幅器の出力と所定の基準値との差分を演算し、差分値に応じて前記第１増幅器の増幅率を調整する第１差動器と、
前記第２増幅器の出力と前記基準値との差分を演算し、差分値に応じて前記第２増幅器の増幅率を調整する第２差動器と、
を有することを特徴とする光ディスク装置。
【請求項３】
蛇行させたトラックを有する記録可能な光ディスクに記録パワー及び再生パワーの光ビームを交互に照射する光源と、
前記光ディスクの半径方向に分割された２つの受光面を有し、前記光ディスクからの反射光を受光し第１及び第２の出力信号を出力する光検出器と、
前記光ビームが記録パワーの期間内であって、前記反射光が所定レベルに安定するピット形成後の期間内において前記第１及び第２の出力信号をそれぞれサンプルホールドする第１サンプルホールド回路と、
前記第１サンプルホールド回路からの第１及び第２の出力信号をそれぞれ増幅する第１増幅器と、
前記第１増幅器からの第１及び第２の出力信号を加算する第１加算器と、
前記光ビームが再生パワーの期間内において前記第１及び第２の出力信号をサンプルホールドする第２サンプルホールド回路と、
前記第２サンプルホールド回路からの第１及び第２の出力信号をそれぞれ増幅する第２増幅器と、
前記第２増幅器からの第１及び第２の出力信号を加算する第２加算器と、
前記第１加算器の出力と前記第２加算器の出力レベルの相違に基づき、前記第１増幅器の出力と前記第２増幅器の出力レベルが一致するように前記第１増幅器と前記第２増幅器それぞれの増幅率を調整する第１差動器と、
前記第１増幅器からの第１及び第２の出力信号の差分を演算する第２差動器と、
前記第２増幅器からの第１及び第２の出力信号の差分を演算する第３差動器と、
前記第２差動器の出力及び前記第３差動器の出力を加算する第３加算器と、
を有し、前記第３加算器の出力から前記トラックの蛇行に対応するウォブル信号を再生することを特徴とする光ディスク装置。
【請求項４】
請求項３記載の装置において、
前記第１差動器は、
前記第１加算器の出力と所定の基準値との差分を演算し、差分値に応じて前記第１増幅器の増幅率を調整する第４差動器と、
前記第２加算器の出力と前記基準値との差分を演算し、差分値に応じて前記第２増幅器の増幅率を調整する第５差動器と、
を有することを特徴とする光ディスク装置。
【請求項５】
請求項１〜４のいずれかに記載の装置において、
前記記録パワーの期間内あるいは再生パワーの期間内であって、所定の信号期間長以上において前記ウォブル信号を再生することを特徴とする光ディスク装置。
【発明の詳細な説明】
【０００１】
【発明の属する技術分野】
本発明は光ディスク装置、特にＣＤ-ＲやＣＤ−ＲＷなどの記録可能あるいは書き換え可能な光ディスク装置のウォブル信号再生に関する。
【０００２】
【従来の技術】
従来より、ＣＤ−ＲやＣＤ−ＲＷ、ＤＶＤ−ＲＡＭなどの記録可能（あるいは書き換え可能）な光ディスクにおいては、案内トラックを蛇行（ウォブル）させることで絶対情報時間（ＡＴＩＰ）やアドレス情報（ＡＤＩＰ）を埋め込んでいる。ＡＴＩＰやＡＤＩＰ（以下、これらを単にアドレス情報と称する）は、光ディスクの現在位置を知るために用いられ、このアドレス情報に基づいて記録／再生制御が行われる。
【０００３】
アドレス情報は、光ディスクからの反射光を受光して得られる電気信号に含まれるウォブル成分を取り出すことで再生することができる。例えば、光検出器として４分割のフォトダイオード（受光面をそれぞれＡ、Ｂ、Ｃ、Ｄとする）を用い、受光面Ａ、Ｄと受光面Ｂ、Ｃが光ディスクの半径方向に分割されているとすると、ピットの有無により変調（ＥＦＭ変調）された反射光を受光して得られる信号は両受光面で同位相となり、ウォブル信号は両受光面で逆位相となる。したがって、それぞれの出力信号の差動をとることでＥＦＭ変調成分を除去し、ウォブル信号のみを取り出すことができる。
【０００４】
図７には、従来の光ディスク装置におけるウォブル信号再生系の構成ブロック図が示されている。光ディスクの半径方向に分割された２つの光検出器Ａ、Ｂ（４分割のフォトダイオードの場合、受光面Ａ、Ｄをまとめて光検出器Ａ、受光面Ｂ、Ｃをまとめて光検出器Ｂとみなすことができる）で光ディスクからの反射光を受光し、それぞれ反射光強度に応じた信号を出力する。光検出器Ｂの出力信号はサンプルホールド回路（Ｓ／Ｈ）５０に供給され、光検出器Ａの出力信号はサンプルホールド回路（Ｓ／Ｈ）５２に供給される。一方、サンプルホールド回路５０、５２にはそれぞれ光ディスクに照射される光ビームが再生パワー時であるタイミングに同期したサンプリングパルスが供給され、サンプルホールド回路５０、５２はこのサンプリングパルスに応じて光ビームが再生パワーである期間において出力信号をサンプリングする。
【０００５】
なお、再生パワーである期間においてサンプリングするのは再生パワーと記録パワーが交互に光ディスクに照射される記録時に関してであり、光ディスクに記録された情報を読み出す再生時に関しては常に再生パワーであるためサンプルホールド回路５０、５２をスルーすることが可能である。
【０００６】
サンプルホールドされた信号はそれぞれ増幅器５４、５６で所定の増幅率で増幅され、差動器５８に供給されて両信号の差分が演算される。差動器５８で差分を演算する理由は、上述したようにＥＦＭ変調成分を除去するためである。差動器５８からの出力信号は、さらにバンドパスフィルタ（ＢＰＦ）６０に供給される。ＢＰＦ６０では入力信号から所定のウォブル周波数（例えば２２ｋＨｚ）近傍の成分のみを抽出しウォブル信号として出力する。
【０００７】
図８には、従来の光ディスク装置におけるウォブル信号再生のタイミングチャートが示されている。記録時においては光ディスク表面の色素層の一部を溶融してピットを形成するために光ビームのパワーが増大する。したがって、記録時においては同図（ａ）に示されるように再生パワーと記録パワーが交互に出現する。通常、ピットの長さは３Ｔ〜１１Ｔ（Ｔはトラック方向の基準周期）であるので、３Ｔ〜１１Ｔの範囲でパワーが変動する。従来においては、同図（ｂ）に示されるように再生パワーの期間内において出力信号をサンプリングホールドし、ウォブル信号を再生している。
【０００８】
【発明が解決しようとする課題】
このように、記録時には再生パワーの期間内においてウォブル信号を再生してアドレス情報を得ることができるが、この方法では近年の高速記録化の要求に対応することが困難となる問題があった。
【０００９】
すなわち、高速記録時には光ディスクの高速回転に伴って上記の基準周期Ｔも短縮されるため、特に３Ｔ、４Ｔなどの短い信号期間において光検出器からの出力信号をサンプリングすることが困難となる。一般に、３Ｔなどの短信号の全体に対する生起確率は大きいので、このような短信号期間におけるサンプリング不能はウォブル信号のＳ／Ｎ低下を招き、このウォブル信号に基づいてアドレス情報を復調する際にもエラーが生じてしまう問題があった。
【００１０】
もちろん、高速記録に伴って高速でのサンプリングが可能なサンプルホールド回路を設けることも理論的には可能であるが、装置構成の複雑化あるいはコスト増を招くことになる。
【００１１】
本発明は、上記従来技術の有する課題に鑑みなされたものであり、その目的は、高速記録時においてもウォブル信号を確実に再生しアドレス情報を得ることができる光ディスク装置を提供することにある。
【００１２】
【課題を解決するための手段】
上記目的を達成するために、本発明は、蛇行させたトラックを有する記録可能な光ディスクに光ビームを照射する照射手段と、前記光ディスクからの反射光を受光し電気信号として出力する受光手段と、前記受光手段の出力信号から前記トラックの蛇行に対応するウォブル信号を再生するウォブル信号再生手段とを有する光ディスク装置であって、前記ウォブル信号再生手段は、前記光ビームが記録パワーの期間内であって、前記反射光が所定レベルに安定するピット形成後の期間内において前記反射光をサンプルホールドする第１サンプルホールド回路と、前記第１サンプルホールド回路の出力を増幅する第１増幅器と、前記光ビームが再生パワーの期間内において前記反射光をサンプルホールドする第２サンプルホールド回路と、前記第２サンプルホールド回路の出力を増幅する第２増幅器と、前記第１増幅器の出力と前記第２増幅器の出力レベルとの相違に基づき、前記第１増幅器の出力と前記第２増幅器の出力レベルが一致するように前記第１増幅器と前記第２増幅器それぞれの増幅率を調整する差動器と、前記第１増幅器の出力及び前記第２増幅器の出力を加算する加算器とを有し、前記加算器の出力から前記ウォブル信号を再生することを特徴とする。
【００１３】
また、本発明は、蛇行させたトラックを有する記録可能な光ディスクに記録パワー及び再生パワーの光ビームを交互に照射する光源と、前記光ディスクの半径方向に分割された２つの受光面を有し、前記光ディスクからの反射光を受光し第１及び第２の出力信号を出力する光検出器と、前記光ビームが記録パワーの期間内であって、前記反射光が所定レベルに安定するピット形成後の期間内において前記第１及び第２の出力信号をそれぞれサンプルホールドする第１サンプルホールド回路と、前記第１サンプルホールド回路からの第１及び第２の出力信号をそれぞれ増幅する第１増幅器と、前記第１増幅器からの第１及び第２の出力信号を加算する第１加算器と、前記光ビームが再生パワーの期間内において前記第１及び第２の出力信号をサンプルホールドする第２サンプルホールド回路と、前記第２サンプルホールド回路からの第１及び第２の出力信号をそれぞれ増幅する第２増幅器と、前記第２増幅器からの第１及び第２の出力信号を加算する第２加算器と、前記第１加算器の出力と前記第２加算器の出力レベルの相違に基づき、前記第１増幅器の出力と前記第２増幅器の出力レベルが一致するように前記第１増幅器と前記第２増幅器それぞれの増幅率を調整する第１差動器と、前記第１増幅器からの第１及び第２の出力信号の差分を演算する第２差動器と、前記第２増幅器からの第１及び第２の出力信号の差分を演算する第３差動器と、前記第２差動器の出力及び前記第３差動器の出力を加算する第３加算器とを有し、前記第３加算器の出力から前記トラックの蛇行に対応するウォブル信号を再生することを特徴とする。
【００２０】
このように、本発明の光ディスク装置においては、記録時において記録パワーと再生パワーが交互に光ディスクに照射される際、記録パワー時においても光検出器の出力信号からウォブル信号を再生する。記録パワーは再生パワーよりも大きいから、記録パワー時には反射光量も大となり、再生ウォブル信号のＳ／Ｎも増大して高速記録時にも対応することができる。また、再生パワー時のみならず記録パワー時においてもウォブル信号を再生することで、高速記録時に短い信号期間でウォブル信号の再生が不能であっても、他の信号期間において再生パワー時及び記録パワー時ともにウォブル信号を再生できるため、Ｓ／Ｎの劣化を招くことなくアドレス情報を得ることができる。
【００２１】
【発明の実施の形態】
以下、図面に基づき本発明の実施形態について説明する。
【００２２】
図１には、本実施形態に係る光ディスク装置の構成ブロック図が示されている。記録可能（あるいは追記型）の光ディスク１０には、アドレス情報としてのＡＴＩＰに基づいてウォブルされた案内トラックが形成されており、光ディスク１０はスピンドルモータ１２により中心軸回りに回転駆動される。スピンドルモータ１２は回転駆動部１４からの駆動制御信号に基づき制御され、回転駆動部１４は光ディスク１０が例えば線速度一定（ＣＬＶ）となるように制御する。
【００２３】
光ディスク１０の記録面と対向する位置には光ピックアップ部１６が設けられている。光ピックアップ部１６は、光ビームを照射するＬＤ、ＬＤ駆動装置、ＬＥＤから射出された光ビームを光ディスク１０の記録面に導くとともに光ディスク１０の表面で反射した反射光を分光する光学系及び反射光を受光し電気信号として出力する複数の光検出器を含んで構成され、送り機構により光ディスク１０の半径方向に駆動される。光ピックアップ部１６のＬＤは、再生時には再生パワーの光ビームを射出し、記録時には記録信号で変調され再生パワーと記録パワー（再生パワー＜記録パワー）が混在する光ビームを射出する。ＬＤから射出され光ディスク１０に照射された光ビームは、再生時には光ディスク１０に形成されているピット及びウォブルされたトラックにより強度変調され、記録時にはピット形成時に伴う変調及びウォブルされたトラックにより強度変調され、反射光として光検出器に入射する。光検出器は、光ディスク１０の半径方向に分割されて複数設けられ、反射光の強度に応じた電気信号を出力する。光検出器は、実際には既述したように４分割のフォトダイオードで構成されるが、本実施形態においても説明の都合上、光ディスク１０の半径方向に分割されて光検出器Ａ、光検出器Ｂとして存在するものとする。光検出器からの反射光に応じた出力信号は、ウォブル信号再生部１８に供給される。
【００２４】
ウォブル信号再生部１８は、出力信号に含まれるＥＦＭ変調成分を除去してウォブル信号を取り出し、さらにウォブル信号からアドレス情報を復調して制御部２０に供給する。本実施形態におけるウォブル信号再生部１８は、従来のように記録時において光ピックアップ部１６のＬＤが再生パワーとなる期間のみで出力信号をサンプリングしウォブル信号を再生するのではなく、記録パワーの期間においてもウォブル信号を再生する。ウォブル信号再生部１８についてはさらに詳述する。
【００２５】
制御部２０は、具体的にはマイクロコンピュータで構成され、回転駆動部１４、光ピックアップ部１６及びウォブル信号再生部１８を統合的に制御する。具体的には、光ピックアップ部１６を半径方向に送り制御するとともにＬＤのパワーを記録信号に基づき制御し、またウォブル信号再生部１８に対してサンプリングパルスを供給してサンプリングタイミングを制御する。ウォブル信号再生部１８で得られたアドレス情報は、制御部２０に供給されて光ピックアップ部１６の現在位置制御に用いられる。
【００２６】
なお、実際には光ピックアップ部１６からの出力信号は、ウォブル信号再生部１８の他に、フォーカスエラー信号生成回路やトラッキングエラー信号生成回路にも供給され、これらに基づいて制御部２０は光ピックアップ部１６のフォーカス及びトラッキングを制御するが、これらについては従来技術と同様であるので説明を省略する。また、光ピックアップ部１６からの出力信号は、ＥＦＭ復調回路にも供給されて記録データの再生が行われるが、これについても従来と同様であるため省略する。
【００２７】
図２には、本実施形態における記録時のウォブル信号再生のタイミングチャートが示されている。同図（ａ）に示されるように記録時には再生パワーと記録パワーが混在し、記録パワー時に色素層を溶融してピットを形成するが、再生パワーの期間１００においてウォブル信号を再生するだけでなく、この記録パワーの期間１０２においてもウォブル信号を再生する。従来技術の再生タイミングを示す図８と対比すると、本実施形態における再生タイミングの相違は明らかであろう。再生パワー期間のみならず、記録パワー期間においてもウォブル信号を再生することで、たとえ高速記録時に３Ｔなどの短い信号期間でサンプリング不能であっても、従来以上に多くのタイミングでウォブル信号を再生できるため、再生ウォブル信号のＳ／Ｎが向上することが定性的に理解されよう。
【００２８】
図３には、図１におけるウォブル信号再生部１８の回路構成図が示されている。ウォブル信号再生部１８の基本構成は、再生パワー時に出力信号をサンプルホールドする回路と、記録パワー時に出力信号をサンプルホールドする回路と、これら２つのサンプルホールド回路の信号を加算する回路を組み合わせたものである。再生パワー時のサンプリング系として、光検出器Ａ、Ｂからの出力信号（第１及び第２の出力信号）をそれぞれサンプルホールドするサンプルホールド回路（第２サンプルホールド回路）１８ａ、１８ｂ、サンプルホールド回路１８ａ、１８ｂからの信号を増幅する増幅器１８ｃ、１８ｄ、増幅器１８ｃ、１８ｄで増幅された２つの信号の差分を演算する差動器（第２差動器）１８ｅが設けられている。サンプルホールド回路１８ａ、１８ｂには制御部２０から再生パワーのタイミングに同期したサンプリングパルスが供給され、このタイミングで出力信号をサンプルホールドする。そして、差動器１８ｅで２つの信号の差分を演算することで、出力信号に含まれるＥＦＭ変調成分を除去し、逆相のウォブル成分のみを取り出すことができる。
【００２９】
一方、増幅器１８ｃ、１８ｄで増幅された２つの信号は差動器１８ｅに供給されるとともに加算器１８ｆにも供給される。加算器１８ｆでは両信号を加算し、差動器１８ｇに出力する。この加算器１８ｆ及び差動器１８ｇは、再生パワー時のサンプリング系のレベルと後述する記録パワー時のサンプリング系のレベルとを一致させるためのものであり、加算器１８ｆは再生パワー時のサンプリング系のレベルを検出する機能を有し、差動器１８ｇは記録パワー時のサンプリング系とのレベル差を解消する機能を有している。差動器１８ｇの他方の入力端子には正規化基準電圧が供給され、基準電圧との差分で増幅器１８ｃ、１８ｄの増幅率を調整することで再生パワー時のサンプリング系のレベルを正規化レベルに一致させる。
【００３０】
また、記録パワー時のサンプリング系として、光検出器Ａ、Ｂからの出力信号をそれぞれサンプルホールドするサンプルホールド回路１８ｈ、１８ｉ、サンプルホールド回路からの信号を増幅する増幅器１８ｊ、１８ｋ、増幅器１８ｊ、１８ｋで増幅された２つの信号の差分を演算する差動器１８ｍが設けられている。サンプルホールド回路１８ｈ、１８ｉには制御部２０から記録パワーのタイミングに同期したサンプリングパルスが供給され、このタイミングで出力信号をサンプルホールドする。そして、差動器１８ｍで２つの信号の差分を演算することで、出力信号に含まれるウォブル成分を取り出すことができる。
【００３１】
また、このサンプリング系においても、増幅器１８ｊ、１８ｋで増幅された信号は差動器１８ｍに供給されるとともに加算器１８ｎにも供給される。加算器１８ｎでは両信号を加算し、差動器１８ｐに出力する。加算器１８ｎ及び差動器１８ｐはそれぞれ加算器１８ｆ及び差動器１８ｇに対応するもので、それぞれ記録パワー時のサンプリング系のレベルを検出する機能及びレベルを調整する機能を有する。差動器１８ｐの他方の入力端子には、再生パワー時のサンプリング系と同一の正規化基準電圧が供給され、記録パワー時のサンプリング系のレベルを正規化レベルに一致させる。
【００３２】
以上の処理により、レベル調整回路としての加算器１８ｆ、１８ｎ及び差動器１８ｇ、１８ｐにより増幅器１８ｃ、１８ｄと増幅器１８ｊ、１８ｋの出力レベル、すなわち差動器１８ｅと差動器１８ｍの出力レベルは互いに一致するように調整され、両差動器１８ｅ、１８ｍの出力、つまり再生パワー時のウォブル信号及び記録パワー時のウォブル信号はともに加算器１８ｑに供給されて加算されＢＰＦ１８ｒに供給される。ＢＰＦ１８ｒでは従来技術と同様に入力信号から所定のウォブル周波数（例えば２２ｋＨｚ）近傍の成分のみを抽出しウォブル信号として復調器１８ｓに出力する。ＢＰＦ１８ｒには、従来技術のように再生パワー時においてサンプリングしたウォブル信号のみが供給されるのではなく、記録パワー時においてサンプリングしたウォブル信号も併せて入力されるため、高速記録時において３Ｔ、４Ｔなどの短い信号期間でウォブル信号を再生できなくても復調器１８ｓでウォブル信号から低エラーレートで正確にアドレス情報を復調することができる。
【００３３】
なお、図３においては、再生パワー時のサンプリング系と記録パワー時のサンプリング系のレベルをともに正規化基準電圧に合わせることで両信号のレベルを一致させているが、もちろんこれに限定されるものではなく、再生パワー時のサンプリング系のレベルを記録パワー時のサンプリング系のレベルに合わせる、あるいは逆に記録パワー時のサンプリング系のレベルを再生パワー時のサンプリング系のレベルに合わせることで両信号を混合することも可能である。
【００３４】
また、図３において、記録パワー時のサンプリング系では記録タイミングに同期したサンプリングパルスが制御部２０から供給され、このサンプリングパルスに基づいて出力信号をサンプルホールドしているが、記録時の反射光特性を考慮してサンプリングタイミングを調整することも可能である。
【００３５】
図４には、記録時における反射光量（戻り光量）の時間変化が模式的に示されている。図において、横軸は時間、縦軸は反射光量である。記録パワーの光ビームを光ディスク１０の表面に照射すると、その直後は大きな記録パワーの影響で反射光量も瞬間的に増大する。記録パワーの光ビームによりディスク表面の色素層が融解してピットが形成され始めると、このピットにより光ビームは散乱され、反射光量も減少し始める。図において、符号１０４がピットの形成に伴う反射光量の減少を示している。記録パワーによりピットの形成が完了すると、反射光量も安定化して一定のレベルとなる。図において、符号１０６がピット形成後の安定レベルを示している。記録が終了すると、ＬＤのパワーは再生パワーに戻り、反射光量も再生パワーに応じたレベルに減少する。図において、符号１０８が再生パワーの反射レベルを示している。
【００３６】
このように、記録直後には瞬間的な反射レベルの増大及び過渡的な減少が生じるため、この期間でウォブル信号を再生することは一般的に困難である。そこで、記録パワー時のサンプリング系においてウォブル信号を再生する際に、ピットが形成されて反射光量が安定化した時点から出力信号をサンプルホールドすることにより、確実にウォブル信号を再生することができる。具体的には、制御部２０は図４における符号１０６で示される安定化期間に同期したサンプリングパルスをサンプルホールド回路１８ｈ、１８ｉに供給すればよく、このようなサンプリングパルスは、記録パワーの開始から反射光量安定化までの時間が一定値ｔであるとして、記録信号をｔだけ遅延させることで生成することが可能である。もちろん、記録信号を所定時間だけ遅延させるのではなく、反射光量をモニタし、一定のレベルに安定化したことを検出したタイミングでサンプリングパルスを生成してもよい。
【００３７】
以上、本発明の実施形態について説明したが、本発明はこれに限定されるものではなく、種々の変更が可能である。
【００３８】
例えば、図３においては再生パワー時のサンプリング系と記録パワー時のサンプリング系とを組み合わせて（両信号を混合して）、再生パワー時及び記録パワー時でウォブル信号を再生してアドレス情報を得ているが、記録パワー時のサンプリング系のみを用いて記録時のみにおいてウォブル信号を再生することも可能である。
【００３９】
図５には、このような場合のウォブル信号再生部１８の回路構成図が示されている。光検出器Ａ、Ｂからの出力信号はサンプルホールド回路１８ｈ、１８ｉに供給される。サンプルホールド回路１８ｈ、１８ｉでは制御部２０からのサンプリングパルスにより記録パワー時において出力信号をサンプルホールドする。制御部２０からのサンプリングパルスは記録信号に同期したものでもよいが、図４で説明したように反射光量が安定化するタイミングに同期したものとすることもできる。このようなサンプリングパルスは、記録信号の遅延処理により生成することができる。サンプルホールドされた信号は増幅器１８ｊ、１８ｋで増幅された後、差動器１８ｍに供給される。差動器１８ｍでは、２つの信号の差分を演算してＥＦＭ変調成分を除去し、ウォブル成分を取り出す。差動器１８ｍからの信号はＢＰＦ１８ｒさらには復調器１８ｓに供給され、ウォブル信号からアドレス情報が復調される。この例においては、記録パワー時のみにおいてウォブル信号を再生しているため、再生パワー時のみにおいて再生する場合と同様に、高速記録時では３Ｔや４Ｔなどの短い信号期間ではウォブル信号を再生することは困難であり、欠落することになる。しかしながら、それ以外の信号期間、例えば５Ｔ以上の期間では、再生パワー時よりも大きな反射光量が得られるため信号レベル（Ｓレベル）も大きくなり、従来以上に高いＳ／Ｎでウォブル信号を再生することができる。
【００４０】
また、図３の回路構成においては、再生パワー時のサンプリング系及び記録パワー時のサンプリング系でそれぞれサンプルホールドしているが、図３では記録時において再生パワー時と記録パワー時ともにウォブル信号を再生するため、出力信号をサンプリングするのではなく、出力信号をスルーで処理することも可能である。
【００４１】
図６には、この場合のウォブル信号再生部１８の一部の回路構成が示されている。光検出器Ａ、Ｂからの出力信号はオートゲインコントロール回路ＡＧＣ１８ｔ、１８ｕにそれぞれ供給される。ＡＧＣ１８ｔ、１８ｕには、制御部２０からのゲイン制御信号が供給され、このゲイン制御信号により出力信号を増幅する。制御部２０は、再生パワー時と記録パワー時でレベルが一致するようにそれぞれのパワーに応じたゲイン制御信号を交互に供給する。一例として、再生パワー時には、記録パワー／再生パワーで規定される比率を増幅率としてＡＧＣに与えるなどである。ＡＧＣ１８ｔ、１８ｕで増幅された信号は、それぞれ補償回路１８ｖ、１８ｗに供給される。補償回路１８ｖ、１８ｗは光ディスク１０の偏心に基づく周波数成分その他の低周波成分（ノイズ）を除去するためのもので、例えば特開平９−７３６３６号公報に記載された補償回路を用いることができる。この補償回路について簡単に説明すると、補償回路はコンデンサと抵抗からなる低域通過フィルタ及び可変ゲイン増幅回路を有し、低域通過フィルタにより偏心に基づく低周波成分を抽出する。そして、この低周波成分を位相反転した後に可変ゲイン増幅回路に供給し、偏心によるレベル変化を補償することで偏心成分を除去する。偏心成分が除去された信号は差動器１８ｘに供給され、ＥＦＭ変調成分が除去される。そして、差動器１８ｘの出力はＢＰＦ１８ｒ及び復調器１８ｓに供給され、同様にしてアドレス情報が得られる。
【００４２】
この例においても、再生パワー時と記録パワー時にともにウォブル信号を再生できるので、高速記録時においても十分なＳ／Ｎでウォブル信号を再生することができる。
【００４３】
【発明の効果】
以上説明したように、本発明によれば、高速記録時においてもウォブル信号を確実に再生しアドレス情報を得ることができる。
【図面の簡単な説明】
【図１】  実施形態の全体構成図である。
【図２】  実施形態のウォブル信号再生のタイミングチャートである。
【図３】  図１におけるウォブル信号再生部の回路構成図である。
【図４】  記録時の反射光量（もどり光量）の時間変化を示すグラフ図である。
【図５】  他の実施形態に係るウォブル信号再生部の回路構成図である。
【図６】  さらに他の実施形態に係るウォブル信号再生部の回路構成図である。
【図７】  従来のウォブル信号再生部の回路構成図である。
【図８】  従来のウォブル信号再生のタイミングチャートである。
【符号の説明】
１０  光ディスク、１２  スピンドルモータ、１４  回転駆動部、１６  光ピックアップ部、１８  ウォブル信号再生部、２０  制御部。
【図１】
0003690289.tif 000002
【図２】
0003690289.tif 000003
【図３】
0003690289.tif 000004
【図４】
0003690289.tif 000005
【図５】
0003690289.tif 000006
【図６】
0003690289.tif 000007
【図７】
0003690289.tif 000008
【図８】
0003690289.tif 000009